(57)【要約】【課題】構成部品の点数を増加させることなく、シャント抵抗が発生する熱を高効率に外部に放熱することが可能な電子回路基板を提供する。【解決手段】本発明の電子回路基板は、基板３と、基板３の一方の主表面上に接続される抵抗体１とを備える電子回路基板である。上記抵抗体１に対向する基板３の主表面にはスリット６が形成されている。基板３において一方の主表面の反対側である他方の主表面上に対向するように配置される他の抵抗体１をさらに備え、基板３の一方の主表面上に接続される抵抗体１と、基板３の他方の主表面上に接続される抵抗体１とが、基板３の主表面に沿った方向に関して互いにずれた位置に配置されていてもよい。【選択図】図５
2011155134.tif 000002
【特許請求の範囲】
【請求項１】
基板と、
前記基板の一方の主表面上に接続される抵抗部材とを備える電子回路基板であり、
前記抵抗部材に対向する前記基板の主表面にはスリットが形成されている、電子回路基板。
【請求項２】
前記スリットは、前記抵抗部材に対向する位置に複数形成されている、請求項１に記載の電子回路基板。
【請求項３】
前記基板において前記一方の主表面の反対側である他方の主表面上に対向するように配置される他の抵抗部材をさらに備え、
前記抵抗部材と前記他の抵抗部材とは、前記基板の前記主表面に沿った方向に関して互いにずれた位置に配置される、請求項１または２に記載の電子回路基板。
【発明の詳細な説明】
【技術分野】
【０００１】
本発明は、電子回路基板に関するものであり、より特定的にはシャント抵抗が面実装された電子回路基板に関するものである。
【背景技術】
【０００２】
インバータ装置などにおいて、モータに流れる電流を検出するために、たとえばＤＣＣＴ（DC Current Transformer）やシャント抵抗が組み込まれた電流検出回路を備える電子回路基板が用いられる。インバータ装置は省エネ効果が大きいといわれている。このため、近年は特に地球温暖化対策として、インバータ装置の利用分野が拡大している。
【０００３】
インバータ装置の電流検出回路としてたとえばシャント抵抗を用いれば、シャント抵抗に電流が流れた際にシャント抵抗が発熱する。シャント抵抗に流れる電流が大きくなるほど、この発熱量も大きくなる。
【０００４】
面実装タイプ（平板状の形状）のシャント抵抗の場合、これが電子回路基板を構成する基板の主表面上に載置されれば、シャント抵抗の発熱が基板や、シャント抵抗と対向するように配置（接続）された部材のほうへ伝播する。このため、当該基板や部材の温度が上昇する。すると基板や部材は、これらの許容温度の上限値を超える温度に加熱される可能性がある。
【０００５】
このように基板の温度が上昇すると、基板の損傷や電子回路基板の動作不良などの不具合を来たす可能性がある。なおここで主表面とは、表面のうちもっとも面積の大きい主要な面をいうこととする。
【０００６】
このような基板や部材の温度上昇を抑えるために、たとえばシャント抵抗から、基板などに熱を伝播せずスムーズに外部へ放熱することが考えられる。そこで、たとえば特開２００９−１００８２号公報（特許文献１）には、基板上に平板状のシャント抵抗が実装される電子回路装置において、シャント抵抗の基板とは反対側に放熱器を設けている。つまり当該電子回路装置においては、シャント抵抗で発生した熱を、基板の方へ伝播させる代わりに当該放熱器から放熱させる。したがって、当該電子回路装置においては、シャント抵抗で発生した熱が基板に伝わり基板の温度が上昇することが抑制される。
【先行技術文献】
【特許文献】
【０００７】
【特許文献１】特開２００９−１００８２号公報
【発明の概要】
【発明が解決しようとする課題】
【０００８】
しかし特開２００９−１００８２号公報の電子回路装置は、シャント抵抗に対して放熱器を設置する分、当該電子回路装置を構成する部品の点数が増加する。部品の点数が増加する分だけ、装置のコストが増大し、装置自体のサイズが大きくなり実用性が低下するなどの問題が生じうる。
【０００９】
本発明の目的は以上の問題に鑑みなされたものである。その目的は、構成部品の点数を増加させることなく、シャント抵抗が発生する熱を高効率に外部に放熱することが可能な電子回路基板を提供することである。
【課題を解決するための手段】
【００１０】
本発明に係る電子回路基板は、基板と、基板の一方の主表面上に接続される抵抗部材とを備える電子回路基板である。上記抵抗部材に対向する基板の主表面にはスリットが形成されている。
【発明の効果】
【００１１】
抵抗部材（シャント抵抗）において、基板の主表面に対向する領域において空気などのガスが対流を起こすことによっても、シャント抵抗の熱が放熱される。つまり、シャント抵抗の発する熱は、基板の主表面に形成されたスリット（部材の存在しない領域）においてガスが対流を起こしながらシャント抵抗の表面に接することにより放熱される。つまり基板の主表面にスリットを形成することで、対流によりシャント抵抗の熱が放熱される領域が大きくなる。このため、基板やシャント抵抗は高効率に冷却される。
【図面の簡単な説明】
【００１２】
【図１】本発明の実施の形態１に係る電子回路基板の外観の態様を示す斜視図である。
【図２】図１の電子回路基板の上面図である。
【図３】図２のＩＩＩ（ＩＶ）−ＩＩＩ（ＩＶ）線に沿う部分における概略断面図である。
【図４】図３の変形例の概略断面図である。
【図５】本発明の実施の形態２に係る電子回路基板の外観の態様を示す斜視図である。
【図６】図５の電子回路基板の、上側の主表面の上面図である。
【図７】図５の電子回路基板の、下側の主表面の上面図である。
【図８】図６のＶＩＩＩ（ＩＸ）−ＶＩＩＩ（ＩＸ）線に沿う部分における概略断面図である。
【図９】図８の変形例の概略断面図である。
【図１０】図６のＸ−Ｘ線に沿う部分における他の構造例を示す概略断面図である。
【図１１】本発明の実施の形態３に係る電子回路基板の外観の態様を示す斜視図である。
【図１２】図１１の電子回路基板の、上側の主表面の上面図である。
【図１３】図１２のＸＩＩＩ−ＸＩＩＩ線に沿う部分における概略断面図である。
【図１４】本発明の実施の形態３の変形例としての電子回路基板の外観の態様を示す斜視図である。
【発明を実施するための形態】
【００１３】
以下、図面を参照しながら、本発明の各実施の形態について説明する。なお、各実施の形態において、同一の機能を果たす要素には同一の参照符号を付し、その説明は、特に必要がなければ繰り返さない。
【００１４】
（実施の形態１）
図１〜図３を参照して、本実施の形態の電子回路基板は、抵抗体１と、基板３とを備えている。抵抗体１（抵抗部材）は、たとえばインバータ装置などに用いられる電流値検出用のシャント抵抗として用いられる部材である。
【００１５】
抵抗体１に電流を流すため、抵抗体１は電気抵抗を有する導電体からなることが好ましく、具体的にはたとえば金属やメタルグレーズ、または炭素からなるものであることが好ましい。基板３は電子回路基板全体の土台となる基板である。
【００１６】
抵抗体１は基板３に対して面実装するため、たとえば平板状の形状を有している。抵抗体１は基板３の一方の主表面上（図１、図３における上側の主表面上）の一部の領域に配置されたランド２上に、たとえばはんだ４により接続される。ランド２は、たとえば銅などの導体からなる導電性の平板状部材である。
【００１７】
基板３の主表面に沿った方向に関して長尺形状を有する２つのランド２を跨ぐように配置された抵抗体１が、基板３と接続される。抵抗体１と基板３上のランド２とは、はんだ４により接続される。
【００１８】
基板３の上側の主表面上には、たとえば銅などの導体薄膜５が２箇所に配置されている。これらの導体薄膜５はいずれも、基板３の主表面上の、ランド２の下側に成膜されている。言い換えれば、基板３の主表面上に形成された導体薄膜５の主表面上の一部の領域に、ランド２が配置されている。ただし図３においては、導体薄膜５の図示が省略されている。
【００１９】
ランド２は、導体薄膜５と同様にたとえば銅などからなる領域であり、導体薄膜５の一部の領域がランド２と定義される。導体薄膜５の表面上には、はんだレジスト材料が塗布されているが、ランド２の表面上にははんだレジスト材料が塗布されていない。このため、ランド２の表面上に、はんだ４により抵抗体１と基板３とが接続される。
【００２０】
そのうち図１、図２に示す上側の導体薄膜５は、基板３の主表面がなす矩形状の（上側の）長辺側と電気的に接続されている。また図１、図２に示す下側の導体薄膜５は、基板３の主表面がなす矩形状の（左側の）短辺側と電気的に接続されている。
【００２１】
抵抗体１の下側の主表面に対向する領域のうち、特に当該抵抗体１の主表面の中央付近と対向する領域にはスリット６が形成されている。スリット６は、基板３の主表面に形成されており、基板３の互いに対向する一対の主表面間を貫通するように形成された貫通孔（溝）状の領域である。スリット６は図１、図２においては基板３の主表面に沿った方向に関して矩形状となっているが、たとえば楕円形状であってもよく、スリット６の平面形状は任意の形状とすることができる。したがって抵抗体１は、スリット６の特に中央部分を上側から覆いながら、２つのランド２を跨ぐように配置されている。
【００２２】
つまり基板３にはスリット６が形成されているため、抵抗体１の下側の主表面の特に中央付近が対向する領域には基板３が配置されず、抵抗体１は空隙と対向する態様となっている。
【００２３】
次に、本実施の形態の電子回路基板の動作原理について説明する。
【００２４】
基板３の主表面がなす矩形状の（上側の）長辺側と（左側の）短辺側との間に電圧を印加することにより、抵抗体１に電流を流す。このときの電圧値と、抵抗体１の抵抗値とから、抵抗体１に流れる電流値が測定される。ここで、抵抗体１に流れる電流値は、基板３に接続されたたとえばモータなどの外部負荷に流れる電流値と同じとなるように電子回路基板を用いたインバータ装置などの回路が組まれていれば、上記外部負荷に流れる電流値を検出することができる。
【００２５】
次に、本実施の形態の作用効果について説明する。
【００２６】
抵抗体１に電流を流すと抵抗体１は発熱する。このとき、図１〜図３における抵抗体１の上側の主表面上の領域では空気の対流が起こっている。抵抗体１の発する熱がこの空気の対流に乗って抵抗体１の外部へ移動する。つまり空気の対流により抵抗体１が空冷される。このようにして抵抗体１の発する熱は放熱される。また抵抗体１の発する熱の一部は、これが接続されるランド２を経由して基板３の方へ移動する。
【００２７】
以上に記す経路による抵抗体１の放熱のほかに、図１〜図３の電子回路基板の場合は、抵抗体１の下側の主表面に対向する領域に設けられたスリット６においても放熱される。スリット６とはたとえば貫通孔など基板３が部分的に除去された領域である。つまり抵抗体１の下側の主表面と対向する領域の一部であるスリット６においては空気の対流が起こっている。このため抵抗体１の発する熱はこの空気の対流に乗って抵抗体１の外部へ移動する。またスリット６における空気の対流により、基板３の熱も放熱される。これはスリット６は基板３が部分的に除去された領域であり、スリット６の空間は基板３と接触しているためである。
【００２８】
以上のように、本実施の形態の電子回路基板は、抵抗体１の熱が抵抗体１の上側の主表面上のみならず、抵抗体１の下側の主表面上からも放熱される。つまり、基板３の主表面にスリット６が形成されていることにより、抵抗体１の表面のうち空気の対流を利用して電子回路基板の外部へ放熱することが可能な領域の面積が大きくなる。言い換えれば抵抗体１の熱が、基板３など電子回路基板、インバータ装置の構成部品以外のところへ放熱される効率が高くなる。このため、基板３や抵抗体１の温度上昇を高効率に抑制することができる。
【００２９】
また、本実施の形態の電子回路基板は、たとえば放熱器などを設置せず、基板３にスリット６を形成することにより、抵抗体１や基板３の放熱の効率を向上させている。つまり電子回路基板を構成する部品の点数を増加させていない。このため電子回路基板のコスト増大や、電子回路基板の構成部品の点数の増加に伴う実用性の低下などを抑制することができる。
【００３０】
あるいは当該電子回路基板は、たとえば図４の概略断面図に示すように、基板３の上側の主表面および下側の主表面の両方に、導体薄膜５とランド２とを備える構成であってもよい。この場合、たとえば上側の導体薄膜５と基板３と、下側の導体薄膜５とを図４の上下方向に貫通し、上側の導体薄膜５と下側の導体薄膜５とを電気的に導通するスルーホール７が形成されていてもよい。またこの場合、図４には図示されないが、基板３の下側の主表面に対向する領域にも、基板３の上側の主表面に対向する領域と同様に、はんだ４により抵抗体１が接続されていてもよい。
【００３１】
（実施の形態２）
本実施の形態は、実施の形態１と比較して、抵抗体の構成および配置が異なっている。以下、本実施の形態の構成について説明する。
【００３２】
図５〜図７を参照して、本実施の形態の電子回路基板は、抵抗体１が複数（５つ）備えられている。それぞれの抵抗体１のサイズは実施の形態１の抵抗体１よりも小さい。これらの抵抗体１が、基板３の長辺側の延在する方向に沿って並列している。
【００３３】
ただしこれらの抵抗体１は、基板３の一方の主表面（図５の上側の主表面）上のみならず、基板３の一方の主表面の反対側である他方の主表面（図５の下側の主表面）に対向する領域にも配置されている。そして、これら５つの抵抗体１（抵抗部材）のうちの一部と、上記一部の抵抗体１以外の他の抵抗体１（他の抵抗部材）とは、基板３の主表面に沿った方向（ここでは特に基板３の主表面のうち長手方向）に関して互いにずれた位置に配置される。
【００３４】
具体的には、基板３の主表面の長辺側に沿った方向（図５〜図７における左右方向）に関して、５つ並列している抵抗体１のうち、一方の端部（一方の短辺）から数えて１番目、３番目および５番目の抵抗体１は、基板３の、図５の下側の主表面に対向する領域に配置されている。これに対して、一方の端部から数えて２番目および４番目の抵抗体１は、基板３の、図５の上側の主表面に対向する領域に配置されている。なおこれとは逆に、たとえば一方の端部から数えて１番目、３番目、５番目の抵抗体１が基板３の上側の主表面に対向する領域に、２番目および４番目の抵抗体１が基板３の下側の主表面に対向する領域に配置されていてもよい。
【００３５】
図５〜図７に示す、基板３の一方の端部（一方の短辺）から数えて２番目および４番目の抵抗体１は、図８の断面図に示すように、実施の形態１の抵抗体１と同様に、基板３の上側の主表面上のランド２と接続するように、はんだ４により接続されている。図８は図３と、図９は図４と同様の態様を示しているが、いずれの態様を有していてもよい。
【００３６】
また図１０に示すように、図６の線分Ｘ−Ｘにおける断面の構造も、図９に示した構造と同様、具体的には図９の上下を逆にした構造とすることができる。あるいは図６の線分Ｘ−Ｘにおける断面の構造は、図８の上下を逆にした構造を適用してもよい。
【００３７】
具体的には、図６に示す、基板３の一方の端部（一方の短辺）から数えて１番目、３番目および５番目の抵抗体１は、以下に述べる態様で基板３と接続してもよい。図１０の断面図に示すように、基板３の上側の主表面上から基板３の下側の主表面上まで、基板３の厚み方向（図１０の上下方向）を貫通するようにスルーホール７が配置されている。
【００３８】
スルーホール７は基板３の上側の主表面上の導体薄膜５と基板３と、基板３の下側の主表面上の導体薄膜５とを、図１０の上下方向に貫通するように形成されている。スルーホール７の内部には金属材料がめっきされているため、基板３の上側の主表面上の導体薄膜５と、基板３の下側の主表面上の導体薄膜５とが電気的に導通される。
【００３９】
ここで、基板３の下側の導体薄膜５の主表面上の一部の領域に配置されたランド２と抵抗体１とが、はんだ４により接続される。すると当該抵抗体１は、基板３の上側の主表面上の導体薄膜５などとも導通される。
【００４０】
以上のように接続されることにより、基板３の下側の主表面に対向するように配置された抵抗体１についても、基板３の上側の導体薄膜５と電気的に接続される。したがって、本実施の形態の電子回路基板についても、すべての抵抗体１に対して、実施の形態１の電子回路基板の抵抗体１と同様の動作原理により作動する。
【００４１】
次に、本実施の形態の作用効果について説明する。本実施の形態の電子回路基板は、実施の形態１の電子回路基板と同様の作用効果に加え、以下に述べる作用効果を有する。
【００４２】
本実施の形態の電子回路基板の複数の抵抗体１は、それぞれが電気回路中で並列に接続されている。このため、１つの抵抗体１に流れる電流値を実施の形態１の抵抗体に流れる電流値より小さくできる。このため、それぞれの抵抗体１の発熱量を実施の形態１の電子回路基板の抵抗体１よりも少なくすることができる。
【００４３】
また本実施の形態の電子回路基板においては、サイズを小さくして複数並列される抵抗体１が、基板３の一方の主表面側にすべて配置するのではなく、基板３の一方の主表面側と他方の主表面側との両方に、基板３の長辺側に沿った方向に関して互い違いに配置される。このため、たとえば基板３の一方の主表面側のみに抵抗体１が５つ並列する場合に比べて、抵抗体１の熱が移動（放熱）される効率が高くなる。
【００４４】
電子回路基板全体においては抵抗体１が５つ配置されているが、基板３の一方の主表面側（他方の主表面側）には抵抗体１が２つ（３つ）しか配置されない。このためたとえば基板３の一方の主表面側のみに抵抗体１が５つ並列する場合に比べて、各抵抗体１の、基板３（スリット６）と対向しない側の主表面上における空気の対流による放熱の効率が高くなる。これは抵抗体１の主表面１つあたりを空冷するための空気の対流の量を増加させることができるためである。
【００４５】
このため、本実施の形態のように複数の抵抗体１を基板３の表裏面に分けて配置し、かつ基板３の主表面に関して互いにずれた位置（基板３の上側および下側の主表面に対向する領域）に配置することにより、抵抗体１の発する熱が放熱される効率が高くなる。したがって抵抗体１や基板３の温度上昇をさらに確実に抑制することができる。
【００４６】
本発明の実施の形態２は、以上に述べた各点についてのみ、本発明の実施の形態１と異なる。すなわち、本発明の実施の形態２について、上述しなかった構成や条件、手順や効果などは、全て本発明の実施の形態１に順ずる。
【００４７】
（実施の形態３）
本実施の形態は、実施の形態１および２と比較して、スリットの構成が異なっている。以下、本実施の形態の構成について説明する。
【００４８】
図１１〜図１３を参照して、本実施の形態の電子回路基板は、スリット６が２つ形成されている。具体的には、基板３の長辺側に沿う方向に延在するスリット６が、実施の形態１および２においては１つのみ形成されているのに対し、本実施の形態においては２つのスリット６が、基板３の短辺側に沿う方向に並列している。
【００４９】
これら２つのスリット６は、１つの抵抗体１を載置する２つのランド２に挟まれた、基板３の短辺方向に関する中央部分に、一定の間隔を隔てて形成されていることが好ましい。また図１１〜図１３においては実施の形態２の、複数の抵抗体１を有する電子回路基板に対して本実施の形態の２つのスリット６が形成されている。しかしたとえば図１４に示すように、実施の形態１の電子回路基板、すなわち単独の抵抗体１を有する電子回路基板に対して本実施の形態の２つのスリット６が形成されていてもよい。
【００５０】
また、図１１〜図１４の電子回路基板においては２つのスリット６が形成されている。しかし基板の主表面に３つ以上のスリット６が形成されていてもよい。
【００５１】
次に、本実施の形態の作用効果について説明する。本実施の形態の電子回路基板は、実施の形態１および２の電子回路基板と同様の作用効果に加え、以下に述べる作用効果を有する。
【００５２】
スリット６が一定の間隔を隔てて複数形成されていれば、たとえば図１３の断面図に示すように、ランド２が配置された抵抗体１の短辺方向に関する端部に加えて、抵抗体１の短辺方向に関する中央部分（２つのスリット６に挟まれた領域）においても接着剤８を用いて基板３に抵抗体１を接続することができる。
【００５３】
抵抗体１が基板３に対して面実装される平板状の形状である場合において、上記のように基板３の主表面のうち２つのスリット６に挟まれた領域における抵抗体１との接続を特に容易に行なうことができる。このため、スリット６に挟まれた領域が存在しない場合に比べて、抵抗体１と基板３とのはんだ付けによる固定を容易にし、かつ当該固定をさらに確実にすることができる。
【００５４】
なお図１３においては図３と同様にスルーホール７が形成されない場合の断面図を示しているが、実施の形態３においても、実施の形態１や実施の形態２と同様に、スルーホール７が形成され、基板３の主表面の上側と下側とが電気的に接続された構成となっていてもよい。
【００５５】
本発明の実施の形態３は、以上に述べた各点についてのみ、本発明の実施の形態１および２と異なる。すなわち、本発明の実施の形態３について、上述しなかった構成や条件、手順や効果などは、全て本発明の実施の形態１および２に順ずる。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５７】
本発明は、電子回路基板を低コストで高効率に放熱する技術として、特に優れている。
【符号の説明】
【００５８】
１  抵抗体、２  ランド、３  基板、４  はんだ、５  導体薄膜、６  スリット、７  スルーホール、８  接着剤。
【図１】
2011155134.tif 000003
【図２】
2011155134.tif 000004
【図３】
2011155134.tif 000005
【図４】
2011155134.tif 000006
【図５】
2011155134.tif 000007
【図６】
2011155134.tif 000008
【図７】
2011155134.tif 000009
【図８】
2011155134.tif 000010
【図９】
2011155134.tif 000011
【図１０】
2011155134.tif 000012
【図１１】
2011155134.tif 000013
【図１２】
2011155134.tif 000014
【図１３】
2011155134.tif 000015
【図１４】
2011155134.tif 000016